(57)【要約】【課題】音声等のデータが対応付けられた画像を、時間的コストをかけることなく容易に作成する方法を提供すること。【解決手段】第１シンボル画像データを取得する第１取得手段と、送付物の送付対象者の端末から、送付物に対して所定データを登録する依頼を受け付ける受付手段と、前記第１シンボル画像データと、前記所定データとを対応付けて管理する登録管理手段と、前記シンボルが付された前記送付物の受領者の端末から第２シンボル画像データが送信されてきた場合、当該第２シンボル画像データを取得する第２取得手段と、前記第２シンボル画像データと、前記第１シンボル画像データとを比較し、その比較の結果に基づいて、前記受領者の正当性を認証する認証手段と、前記第２シンボル画像データと対応付けられた前記所定データについての、前記受領者の前記端末での実行を制御する実行制御部とを備える。【選択図】図３
2017134548.tif 000002
【特許請求の範囲】
【請求項１】
送付物を送付予定の送付対象者の端末により、当該送付物に付されるシンボルが撮影され、その結果得られる第１シンボル画像データが送信されてきた場合、当該第１シンボル画像データを取得する第１取得手段と、
前記送付対象者の前記端末から、前記送付物に対して所定データを登録する依頼を受け付ける受付手段と、
前記受付手段により前記依頼が受け付けられた場合、前記第１シンボル画像データと、前記所定データとを対応付けて管理する登録管理手段と、
前記シンボルが付された前記送付物の受領者の端末により、当該シンボルが撮影され、その結果得られる第２シンボル画像データが送信されてきた場合、当該第２シンボル画像データを取得する第２取得手段と、
前記第２シンボル画像データと、前記第１シンボル画像データとを比較し、その比較の結果に基づいて、前記受領者の正当性を認証する認証手段と、
前記受領者の正当性が認証された場合、前記第２シンボル画像データと対応付けられた前記所定データについての、前記受領者の前記端末での実行を制御する実行制御部と、
を備える情報処理装置。
【請求項２】
前記シンボルは、２次元コードであり、
前記所定データは、前記送信者のメッセージを含む音声データ、画像データ若しくはテキストデータ、又はこれらの組合せである、
請求項１に記載の情報処理装置。
【請求項３】
前記実行制御手段は、
前記所定データの実行回数に関する制御を実行する、
請求項１又は２に記載の情報処理装置。
【請求項４】
情報処理装置が実行する情報処理方法において、
送付物を送付予定の送付対象者の端末により、当該送付物に付されるシンボルが撮影され、その結果得られる第１シンボル画像データが送信されてきた場合、当該第１シンボル画像データを取得する第１取得ステップと、
前記送付対象者の前記端末から、前記送付物に対して所定データを登録する依頼を受け付ける受付ステップと、
前記受付手段により前記依頼が受け付けられた場合、前記第１シンボル画像データと、前記所定データとを対応付けて管理する登録管理ステップと、
前記シンボルが付された前記送付物の受領者の端末により、当該シンボルが撮影され、その結果得られる第２シンボル画像データが送信されてきた場合、当該第２シンボル画像データを取得する第２取得ステップと、
前記第２シンボル画像データと、前記第１シンボル画像データとを比較し、その比較の結果に基づいて、前記受領者の正当性を認証する認証ステップと、
前記受領者の正当性が認証された場合、前記第２シンボル画像データと対応付けられた前記所定データについての、前記受領者の前記端末での実行を制御する実行制御ステップと、
を含む情報処理方法。
【請求項５】
書き方はその２参考
コンピュータに、
送付物を送付予定の送付対象者の端末により、当該送付物に付されるシンボルが撮影され、その結果得られる第１シンボル画像データが送信されてきた場合、当該第１シンボル画像データを取得する第１取得ステップと、
前記送付対象者の前記端末から、前記送付物に対して所定データを登録する依頼を受け付ける受付ステップと、
前記受付手段により前記依頼が受け付けられた場合、前記第１シンボル画像データと、前記所定データとを対応付けて管理する登録管理ステップと、
前記シンボルが付された前記送付物の受領者の端末により、当該シンボルが撮影され、その結果得られる第２シンボル画像データが送信されてきた場合、当該第２シンボル画像データを取得する第２取得ステップと、
前記第２シンボル画像データと、前記第１シンボル画像データとを比較し、その比較の結果に基づいて、前記受領者の正当性を認証する認証ステップと、
前記受領者の正当性が認証された場合、前記第２シンボル画像データと対応付けられた前記所定データについての、前記受領者の前記端末での実行を制御する実行制御ステップと、
を含む制御処理を実行させるプログラム。
【発明の詳細な説明】
【技術分野】
【０００１】
本発明は、情報処理装置、情報処理方法、及びプログラムに関する。
【背景技術】
【０００２】
従来より、送付物に付された画像を端末で読取ることにより、当該端末において音声や動画が再生される方法は開示されている（例えば特許文献１参照）。
【先行技術文献】
【特許文献】
【０００３】
【特許文献１】特開２０１０−２５０４２３号公報
【発明の概要】
【発明が解決しようとする課題】
【０００４】
しかしながら、特許文献１を含め従来の技術では、端末に読取られる画像は、特定のＷｅｂサイト（動画サイト）にリンクするＵＲＬと関連付けられた２次元コード等の識別子としての画像に限られていた。
【０００５】
また、先に特定のＷｅｂサイトにリンクするＵＲＬが決定し、その後に当該ＵＲＬと関連付けられた識別符号としての画像を作成する必要があるため、送付物に付す識別符号としての画像を作成するまでの時間的コストがかかっていた。
【０００６】
本発明は、このような状況に鑑みてなされたものであり、音声等のデータが対応付けられた画像を、時間的コストをかけることなく容易に作成する方法を提供することを目的とする。
【課題を解決するための手段】
【０００７】
上記目的を達成するため、本発明の一態様の情報処理装置は、
送付物を送付予定の送付対象者の端末により、当該送付物に付されるシンボルが撮影され、その結果得られる第１シンボル画像データが送信されてきた場合、当該第１シンボル画像データを取得する第１取得手段と、
前記送付対象者の前記端末から、前記送付物に対して所定データを登録する依頼を受け付ける受付手段と、
前記受付手段により前記依頼が受け付けられた場合、前記第１シンボル画像データと、前記所定データとを対応付けて管理する登録管理手段と、
前記シンボルが付された前記送付物の受領者の端末により、当該シンボルが撮影され、その結果得られる第２シンボル画像データが送信されてきた場合、当該第２シンボル画像データを取得する第２取得手段と、
前記第２シンボル画像データと、前記第１シンボル画像データとを比較し、その比較の結果に基づいて、前記受領者の正当性を認証する認証手段と、
前記受領者の正当性が認証された場合、前記第２シンボル画像データと対応付けられた前記所定データについての、前記受領者の前記端末での実行を制御する実行制御部と、
を備える。
【０００８】
前記シンボルは、２次元コードであり、
前記所定データは、前記送信者のメッセージを含む音声データ、画像データ若しくはテキストデータ、又はこれらの組合せとすることができる。
【０００９】
前記実行制御手段は、
前記所定データの実行回数に関する制御を実行することができる。
【発明の効果】
【００１０】
本発明によれば、音声等のデータが対応付けられた画像を、時間的コストをかけることなく容易に作成することができる。
【図面の簡単な説明】
【００１１】
【図１】本発明の一実施形態に係る情報処理システムの構成を示す図である。
【図２】図１の情報処理装置のうち管理サーバのハードウェア構成を示すブロック図である。
【図３】図１の情報処理装置のうち管理サーバとユーザ端末との機能的構成の一例を示す機能ブロック図である。
【図４】図３の管理サーバ及びユーザ端末が実行する処理のうち、ユーザ端末２ｓが登録用のアプリケーションソフトウェアを立上げてから、ユーザ端末２ｒがメッセージを再生するまでの処理を説明するアローチャートである。
【図５】ユーザＵｓが、紙媒体のメッセージカードに付されるＱＲコード（登録商標）に音声メッセージを登録しようとするときに、ユーザＵｓが操作するユーザ端末２ｓに表示される登録メニューの例を示す図である。
【図６】ユーザＵｓが、紙媒体のメッセージカードに付されるＱＲコード（登録商標）に音声メッセージを登録しようとするときに、ユーザＵｓが操作するユーザ端末２ｓに表示される登録メニューの例を示す図である。
【図７】ユーザＵｓがユーザＵｒに対して送付する紙媒体のメッセージカードに表示される内容の例を示す図である。
【図８】ユーザＵｒが、ユーザＵｓによって送付された紙媒体のメッセージカードに付されたＱＲコード（登録商標）を、ユーザ端末２ｒで読取った場合に、ユーザ端末２ｒに表示される再生画面の例を示す図である。
【発明を実施するための形態】
【００１２】
以下、本発明の実施形態について図面を用いて説明する。
【００１３】
図１は、本発明の一実施形態に係る情報処理システムの構成を示す図である。
【００１４】
図１に示す情報処理装置は、管理サーバ１と、ユーザＵｓにより操作されるユーザ端末２ｓと、ユーザＵｒにより操作されるユーザ端末２ｒとが、インターネット等の所定のネットワークＮを介して相互に接続されることで構成される。
【００１５】
ここで、ユーザＵｓは、ユーザＵｒに対し紙媒体のメッセージカードを送付する予定の送付対象者である。また、ユーザＵｓは、当該メッセージカードに付されるＱＲコード（登録商標）に音声メッセージを登録することにより、当該メッセージカードに記載する文字によるメッセージと共に、音声メッセージをユーザＵｒに贈ることを考えている。
【００１６】
ユーザＵｒは、ユーザＵｓから送付された紙媒体のメッセージカードを受領する者である。
なお、以下、ユーザＵｓ及びＵｒと、ユーザ端末２ｓ及び２ｒとの夫々を個々に区別する必要がない場合、これらをまとめて、「ユーザＵ」と、「ユーザ端末２」との夫々と呼ぶ。
【００１７】
サーバ１は、ユーザ端末２の各動作を管理すべく、各種処理を実行する。
ユーザ端末２は、ユーザＵが操作する情報処理装置であって、例えばスマートフォン等で構成される。
具体的には本実施形態では、管理サーバ１は、次のようにして、ユーザ端末２の各動作を管理する。
【００１８】
即ち、ユーザＵｓは、紙媒体のメッセージカードを送付する前に、当該メッセージカードに付すＱＲコード（登録商標）に対して音声メッセージを登録する。
そこで先ず、ユーザＵｓは、ユーザ端末２ｓを操作して、管理サーバ１に対して登録の依頼をする必要がある。登録の依頼の手法は、特に限定されないが、登録用のアプリケーションソフトウェアを用いて撮影されたＱＲコード（登録商標）の画像データを管理サーバ１に送信することで、登録の依頼とする、という手法が採用されているものとする。
つまり、ユーザＵｓは、管理サーバ１に対して登録の依頼をすべく、紙媒体のメッセージカードに付される対象のＱＲコード（登録商標）を撮影する。即ち、ユーザ端末２ｓは、登録用のアプリケーションソフトウェアを立上げ、当該ＱＲコード（登録商標）を撮影し（読み取り）、その結果得られるＱＲコード（登録商標）の画像データ（以下、他の画像データと区別すべく、「ＱＲコード（登録商標）の第１画像データ」と呼ぶ）を、管理サーバ１に送信する。
このようにして、ユーザ端末２ｓは、管理サーバ１に対して、当該ＱＲコード（登録商標）に対する音声メッセージの登録を依頼する。
【００１９】
管理サーバ１は、ユーザ端末２ｓから送信されてきたＱＲコード（登録商標）の第１画像データを取得することで、当該ＱＲコード（登録商標）に対する音声メッセージの登録の依頼を受付ける。
【００２０】
次に、ユーザＵｓは、ユーザ端末２ｓを操作して、登録対象の音声メッセージを管理サーバ１に登録する。
即ち、ユーザ端末２ｓは、登録対象の音声メッセージ（音声データ）を、管理サーバ１に送信する。
なお、登録対象の音声メッセージは、前記登録用のアプリケーションソフトウェアを起動することにより録音をしてもよいし、予め作成された音声データの中からユーザＵｓが選択してもよい。
【００２１】
管理サーバ１は、この登録対象の音声メッセージ（音声データ）をユーザ端末２ｓから受信し、先に取得したＱＲコード（登録商標）の第１画像データと対応付けて登録する。管理サーバ１は、その登録内容を管理する。
ユーザＵｓは、このようにして音声メッセージが対応付けられたＱＲコード（登録商標）が付されたメッセージカードを、ユーザＵｒに対して送付する。なお、送付手法は、特に限定されず、手渡しでもよいし、郵送でもよい。
【００２２】
ユーザＵｒは、紙媒体のメッセージカードを受領すると、ユーザ端末Ｕｒを操作して、当該メッセージカードに付されたＱＲコード（登録商標）を撮影することで、ユーザＵｓからの音声メッセージをユーザ端末Ｕｒから再生させることができる。
即ち、ユーザ端末２ｒは、ユーザＵｒの操作により、紙媒体のメッセージカードに付されたＱＲコード（登録商標）を撮影し（読み取り）、その結果得られるＱＲコード（登録商標）の画像データ（以下、他の画像データと区別すべく、「ＱＲコード（登録商標）の第２画像データ」と呼ぶ）を、管理サーバ１に送信する。
【００２３】
管理サーバ１は、ユーザ端末２ｒから送信されてきたＱＲコード（登録商標）の第２画像データを取得する。そして、管理サーバ１は、取得したＱＲコード（登録商標）の第２画像データと、上述のように管理しているＱＲコード（登録商標）の第１画像データとを比較し、その比較の結果に基づいて、ＱＲコード（登録商標）の第２画像データが送信されたユーザ端末２ｒ（その操作者のユーザＵｒ）の正当性を認証する。
具体的には、管理サーバ１は、取得したＱＲコード（登録商標）の第２画像データから特定されるコード（数値）と、管理しているＱＲコード（登録商標）の第１画像データから特定されるコード（数値）とが一致するか否かによって認証を行う。
【００２４】
管理サーバ１は、ユーザＵｒの正当性を認証すると、ＱＲコード（登録商標）の第１画像データと対応付けられて管理されている音声メッセージ（音声データ）をユーザ端末２ｒにて再生させる制御を実行する。
【００２５】
なお、管理サーバ１が実行するこれらの処理の詳細については、図３を参照して後述する。
【００２６】
図２は、図１の管理サーバ１のハードウェア構成を示すブロック図である。
【００２７】
管理サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０と、を備えている。
【００２８】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２９】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００３０】
出力部１６は、ディスプレイやスピーカ等で構成され、各種情報を画像や音声として出力する。
入力部１７は、キーボードやマウス等で構成され、各種情報を入力する。
【００３１】
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（図１の例ではユーザ端末２ｓ及び２ｒ）との間で通信を行う。
【００３２】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。
また、リムーバブルメディア３１は、記憶部１８に記憶されている各種データも、記憶部１８と同様に記憶することができる。
【００３３】
なお、図示はしないが、図１の情報処理システムのうち、本発明の一実施形態としてのユーザ端末２も、図２に示すハードウェア構成を有している。
【００３４】
図３は、図１の情報処理装置のうち管理サーバ１とユーザ端末２との機能的構成の一例を示す機能ブロック図である。
【００３５】
管理サーバ１のＣＰＵ１１（図２）においては、図３に示すように、第１ＱＲコード（登録商標）取得部１０１と、登録受付部１０２と、登録管理部１０３と、認証部１０４と、再生制御部１０５とが機能する。
記憶部１８（図２）の一領域には、メッセージＤＢ１１１が設けられている。
【００３６】
第１ＱＲコード（登録商標）取得部１０１は、ユーザ端末２ｓから送信されてきたＱＲコード（登録商標）の第１画像データを取得する。
登録受付部１０２は、当該ＱＲコード（登録商標）に対する音声メッセージの登録の依頼を受付ける。
【００３７】
登録管理部１０３は、登録対象の音声メッセージ（音声データ）をユーザ端末２ｓから受信し、第１ＱＲコード（登録商標）取得部１０１が取得したＱＲコード（登録商標）の第１画像データと対応付けて、メッセージＤＢ１１１に記憶させることにより登録し管理する。
【００３８】
認証部１０４は、ユーザ端末２ｒから送信されてきたＱＲコード（登録商標）の第２画像データを取得する。そして、取得したＱＲコード（登録商標）の第２画像データと、上述のように管理しているＱＲコード（登録商標）の第１画像データとを比較し、その比較の結果に基づいて、ＱＲコード（登録商標）の第２画像データが送信されたユーザ端末２ｒ（その操作者のユーザＵｒ）の正当性を認証する。
具体的には、認証部１０４は、取得したＱＲコード（登録商標）の第２画像データから特定されるコード（数値）と、管理しているＱＲコード（登録商標）の第１画像データから特定されるコード（数値）とが一致するか否かによって認証を行う。
【００３９】
再生制御部１０５は、認証部１０４によってユーザＵｒの正当性が認証されると、ＱＲコード（登録商標）の第１画像データと対応付けられて管理されている音声メッセージ（音声データ）をユーザ端末２ｒにて再生させる制御を実行する。なお、再生制御部１０５による再生の制御には、音声メッセージの実行回数に関する制御が含まれる。
【００４０】
ユーザ端末２ｒは、管理サーバ１の再生制御部１０５による再生の制御の実行によって、音声メッセージを再生する。
【００４１】
次に、図４を参照して、このような図３の管理サーバ１及びユーザ端末２が実行する処理のうち、ユーザ端末２ｓによって登録用のアプリケーションソフトウェアが立上げられてから、ユーザ端末２ｒにおいてメッセージが再生されるまでの一連の処理について説明する。
図４は、図３の管理サーバ１及びユーザ端末２が実行する処理のうち、ユーザ端末２ｓによって登録用のアプリケーションソフトウェアが立上げられてから、ユーザ端末２ｒにおいてメッセージが再生されるまでの処理を説明するアローチャートである。
【００４２】
ステップＳ１１において、ユーザ端末２ｓ（図３）は、登録用のアプリケーションソフトウェアを立上げる。
ステップＳ１２において、ユーザ端末２ｓは、紙媒体のメッセージカードに付されるＱＲコード（登録商標）を撮影することによりＱＲコード（登録商標）の第１画像データを読取り、当該ＱＲコード（登録商標）の第１画像データをサーバ１に送信する。
【００４３】
ステップＳ１において、サーバ１の第１ＱＲコード（登録商標）取得部１０１（図３）は、ユーザ端末２ｓから送信されてきたＱＲコード（登録商標）の第１画像データを通信部１９を介して取得する。
ステップＳ１３において、ユーザ端末２ｓは、紙媒体のメッセージカードに付与されるＱＲコード（登録商標）に登録する音声メッセージを作成し、管理サーバ１（図３）に対し、当該音声メッセージの登録を依頼する。
【００４４】
ステップＳ２において、サーバ１の登録受付部１０２（図３）は、ステップＳ１３でユーザ端末２ｓによってなされた音声メッセージの登録の依頼を受付ける。
また、サーバ１の登録管理部１０３は、ステップＳ１で第１ＱＲコード（登録商標）取得部１０１によって取得されたＱＲコード（登録商標）の第１画像データと、ステップＳ２で登録受付部１０２によって登録が受付けられた音声メッセージとを対応付けて、メッセージＤＢ１１１に記憶させて管理する。
【００４５】
ステップＳ３において、サーバ１の登録受付部１０２は、ユーザ端末２ｓに対し、音声メッセージが登録された旨を通知する。
【００４６】
ステップＳ２１において、ユーザ端末２ｒは、ＱＲコード（登録商標）を撮影し、撮影の結果として得られた画像データをＱＲコード（登録商標）の第２画像データとして管理サーバ１に送信することにより、ＱＲコード（登録商標）の第１画像データと対応付けられて管理されている音声メッセージの再生を依頼する。
【００４７】
ステップＳ４において、サーバ１の認証部１０４は、ステップＳ２１でユーザ端末２ｒによって送信されたＱＲコード（登録商標）の第２画像データを取得し、取得した当該ＱＲコード（登録商標）の第２画像データと、ステップＳ２でメッセージＤＢ１１１において音声メッセージと対応付けられて管理されたＱＲコード（登録商標）の第１画像データとを比較する。サーバ１の認証部１０４は、その比較の結果に基づいて、ＱＲコード（登録商標）の第２画像データが送信されたユーザ端末２ｒ（その操作者のユーザＵｒ）の正当性を認証する。
【００４８】
ステップＳ５において、サーバ１の再生制御部１０５は、ステップＳ４で認証部１０４によってユーザＵｒの正当性が認証されると、ユーザ端末２ｒからの音声メッセージの再生依頼を受付ける。
【００４９】
ステップＳ６において、サーバ１の再生制御部１０５は、ＱＲコード（登録商標）の第１画像データと対応付けられて管理されている音声メッセージ（音声データ）をユーザ端末２ｒにて再生させる制御を実行する。
【００５０】
ステップＳ２２において、ユーザ端末２ｒは、管理サーバ１の再生制御部１０５による再生の制御の実行によって、音声メッセージを再生する。
【００５１】
図５は、ユーザＵｓが、紙媒体のメッセージカードに付されるＱＲコード（登録商標）に音声メッセージを登録しようとするときに、ユーザＵｓが操作するユーザ端末２ｓ（図３）に表示される登録メニューの例を示す図である。
【００５２】
図５（Ａ）は、メッセージカードに付されるＱＲコード（登録商標）の例を示している。
図５（Ｂ）は、ユーザ端末２ｓに表示される登録メニューの例を示している。
【００５３】
ユーザＵｓは、ユーザ端末２ｓを操作し、登録用のアプリケーションソフトウェアを立上げ（図４のステップＳ１１）、紙媒体のメッセージカードに付される図５（Ａ）に例示されたＱＲコード（登録商標）を撮影することによりＱＲコード（登録商標）の画像データを読取り（図４のステップＳ１２）、図５（Ｂ）の登録メニューによって当該ＱＲコード（登録商標）の画像データの登録を依頼する（図４のステップＳ１３）。
【００５４】
図５（Ｂ）に示すように、登録メニューには、タイトルの入力、音声の登録、画像及び画像の登録、動画の撮影、並びに動画の選択を含めることができる。
【００５５】
図６は、ユーザＵｓが、紙媒体のメッセージカードに付されるＱＲコード（登録商標）に音声メッセージを登録しようとするときに（図４のステップＳ１３）、ユーザＵｓが操作するユーザ端末２ｓ（図３）に表示される登録メニューの例を示す図である。
【００５６】
図６（Ａ）は、ユーザ端末２ｓに表示される、画像登録画面の例を示している。
図６（Ｂ）は、ユーザ端末２ｓに表示される、音声登録画面の例を示している。
【００５７】
ユーザ端末２ｓは、管理サーバ１（図３）に対し、紙媒体のメッセージカードに対する音声メッセージ及び画像についての登録を依頼することができる（図４のステップＳ１３）。この場合、図６（Ａ）に例示するように、予めユーザ端末２ｓに記憶された画像データの中から、登録の対象とする画像データを選択できるようにしてもよい。
【００５８】
また、図６（Ｂ）に例示するように、音声メッセージの登録をする際には、登録しようとする音声メッセージの内容、当該音声メッセージの再生上限回数、及びタイトルの内容を確認できるようにしてもよい。
【００５９】
図７は、ユーザＵｓがユーザＵｒに対して送付する紙媒体のメッセージカードに表示される内容の例を示す図である。
【００６０】
図７（Ａ）は、ユーザＵｓが、ユーザＵｒの誕生日を祝うために送付する、紙媒体のメッセージカードの例を示している。
図７（Ｂ）は、ユーザＵｒの子供であるユーザＵｓが、ユーザＵｒへの感謝の気持ちを表すために送付する、紙媒体のメッセージカードの例を示している。
図７（Ａ）及び（Ｂ）に示す紙媒体のメッセージカードには、いずれもＱＲコード（登録商標）が付されている。当該紙媒体のメッセージカードを受領したＵｒは、当該紙媒体のメッセージカードに付されたＱＲコード（登録商標）をユーザ端末２ｒで読取ることにより（図４のステップＳ２１）、ユーザＵｓからの音声メッセージを、ユーザ端末２ｒによって視聴することができる（図４のステップＳ２２）。
なお、当該紙媒体のメッセージカードに付されたＱＲコード（登録商標）は汎用性を有するため、繰返し音声メッセージを登録（図４のステップＳ２）することができる。
【００６１】
図８は、ユーザＵｒが、ユーザＵｓによって送付された紙媒体のメッセージカードに付されたＱＲコード（登録商標）を、ユーザ端末２ｒで読取った場合に、ユーザ端末２ｒに表示される再生画面の例を示す図である。
【００６２】
図８（Ａ）は、ユーザＵｓが、ユーザＵｒへの感謝の気持ちを表すために送付した紙媒体のメッセージカードに付されたＱＲコード（登録商標）を、ユーザＵｒがユーザ端末２ｒで読取ることにより（図４のステップＳ２１）表示される、音声メッセージの再生画面の例を示している（図４のステップＳ２２）。
【００６３】
図８（Ｂ）は、ユーザＵｒの子供であるユーザＵｓが、ユーザＵｒの誕生日を祝うために送付した紙媒体のメッセージカードに付されたＱＲコード（登録商標）を、ユーザＵｒがユーザ端末２ｒで読取ることにより（図４のステップＳ２１）表示される、音声メッセージの再生画面の例を示している（図４のステップＳ２２）。
【００６４】
図８に示すように、ユーザ端末２ｒに表示される音声メッセージの再生画面には、ユーザＵｓが操作するユーザ端末２ｒによって登録の依頼がなされた音声メッセージのタイトル、画像、及び再生時間を表示させることができる。
【００６５】
以上本発明の一実施形態について説明したが、本発明は、上述の実施形態に限定されるものではなく、本発明の目的を達成できる範囲での変形、改良等は本発明に含まれるものである。
【００６６】
例えば、図２に示すハードウェア構成は、本発明の目的を達成するための例示に過ぎず、特に限定されない。
【００６７】
また、図３に示す機能ブロック図は、例示に過ぎず、特に限定されない。即ち、上述した一連の処理を全体として実行できる機能が情報処理装置に備えられていれば足り、この機能を実現するためにどのような機能ブロックを用いるのかは、特に図３の例に限定されない。
【００６８】
また、機能ブロックの存在場所も、図３に限定されず、任意でよい。
また、１つの機能ブロックは、ハードウェア単体で構成してもよいし、ソフトウェア単体で構成してもよいし、それらの組み合わせで構成してもよい。
【００６９】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００７０】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００７１】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００７２】
また、本明細書において、システムの用語は、複数の装置や複数の手段等より構成される全体的な装置を意味するものである。
【００７３】
また、上述の実施形態では、ＱＲコード（登録商標）とメッセージを対応付けたが、メッセージに対応付けるものはＱＲコード（登録商標）に限定されず、送付物に付することができるシンボルであれば特に限定されない。
ここで、シンボルとは、ＱＲコード（登録商標）等の２次元コードのみならず、文字、図形、記号、立体的形状若しくは色彩、又はこれらの結合を含む広義な概念である。
【００７４】
例えば、紙媒体のカードに対して、手書きで「お誕生日おめでとう」という文字列もシンボルに含む。この場合、「お誕生日おめでとう」という部分が撮影された結果得られる画像データが、シンボル画像データである。
そして、送付者側で撮影されたシンボル画像データと、受領者側で撮影されたシンボル画像データとの比較で、当該受領者の正当性が認証される。この場合の比較の手法も特に限定されず、画像のままの比較でもよいし、ＯＣＲで読み取られた文字列での比較でもよい。
【００７５】
また、逆に、ＱＲコード（登録商標）等のシンボルと対応付けるものは、上述の実施形態ではメッセージ（音声データ）であったが、特にこれに限定されず、テキストデータ、画像データ、動画データ等の所定のデータであれば足りる。
【００７６】
ここで、「画像」とは、「動画像」と「静止画像」との両方を含むものである。
また、「動画像」は、次の第１処理乃至第３処理の夫々により表示される画像を含むものである。
第１処理とは、平面画像（２Ｄ画像）における被写体やオブジェクトの夫々の動作に対して、複数枚からなる一連の静止画像を時間経過と共に連続的に切り替えて表示させる処理をいう。具体的には例えば、２次元アニメーション、いわゆるパラパラ漫画的な処理が第１処理に該当する。
第２処理とは、立体画像（３Ｄモデルの画像）における被写体やオブジェクトの夫々の動作に対応するモーションを設定しておき、時間経過と共に当該モーションを変化させて表示させる処理をいう。具体的には例えば、３次元アニメーションが第２処理に該当する。
第３処理とは、被写体やオブジェクトの夫々の動作に対応した映像（即ち動画）を準備しておき、時間経過と共に当該映像を流していく処理をいう。
【００７７】
また、図３のユーザ端末２ｓは、上述の実施形態では、メッセージの作成から登録までの処理として、ＱＲコード（登録商標）を読取ってから登録の依頼をするまでの一連の処理で終了したが、さらに、登録の依頼をするメッセージを確認する処理を実行してもよい。
この処理を実現するために、ユーザ端末２ｓは、登録の依頼前にメッセージを保存する機能、例えばスタートボタンとストップボタンを画面に表示させて、スタートボタンの押下により録音を開始して、ストップボタンの押下により録音を終了する機能を備えることとしてもよい。
【００７８】
また、ユーザ端末２ｓは、登録の依頼前にユーザ端末２ｓに保存されたメッセージについての登録を依頼するための登録ボタンを画面に表示させて、登録ボタンの押下により登録を依頼する機能を備えることとしてもよい。
さらに、ユーザ端末２ｓは、登録ボタンが押下されることにより即座に登録の依頼がなされることとはせずに、誤送信を防止するために、登録の依頼を再度確認するためのボタンを画面に表示させて、再確認のボタンの押下により登録を依頼する機能を備えることとしてもよい。
【００７９】
具体的には例えば、登録ボタンを押下すると、画面に「メッセージを登録します。１０回再生するとメッセージが消去されます。よろしいですか？」といった確認メッセージと共に、「はい」又は「キャンセル」のボタンを表示させて、ユーザＵｓに登録の依頼の確認を求めることとしてもよい。
【００８０】
また、ユーザ端末２ｓは、メッセージの登録の依頼が完了した場合に、登録完了のメッセージを画面に表示させる機能を備えることとしてもよい。これにより、ユーザＵｓは、メッセージが登録された事実を認識することができる。
【００８１】
また、ユーザ端末２ｓは、登録できるメッセージの再生時間に上限を設けることとしてもよい。これにより、メッセージを保存する図３の管理サーバ１の負担を抑えることができる。例えば、録画メッセージの撮影可能時間に１０秒間という上限を設け、録音中に上限の１０秒に達した場合に、画面に「ビデオ撮影が停止されました。このビデオは最長連続撮影時間に達しました。」といったメッセージを表示させる機能を備えることとしてもよい。
【００８２】
また、図３のユーザ端末２ｓは、上述の実施形態では、メッセージをサーバに登録したが、さらに、そのメッセージを自機に保存しておく機能を備えるようにしてもよい。そして、２ｓは、自機に保存されたメッセージを再生する機能、例えば再生ボタンを画面に表示させて押下によりメッセージを再生する機能を備えることとしてもよい。
【００８３】
また、上述の実施形態では、メッセージの登録メニューは、ユーザ端末２ｓの画面全体に表示されたが（図５（Ｂ）参照）、表示形態は特にこれに限定されず、例えば、ＱＲコード（登録商標）を撮影する際に表示されるカメラ画面の一部に、メッセージの登録メニューを表示させることとしてもよい。
【００８４】
また、図３のユーザ端末２ｒは、図３の管理サーバ１の再生制御部１０５による再生の制御の実行によって、音声メッセージを再生するが、この場合の再生方法は特に限定されない。例えば、再生用のアプリケーションソフトウェアを用いて再生してもよいし、図１のネットワークＮを介することによって、所定のＷｅｂサイト上で再生してもよい。
また、ユーザ端末２ｒは、ユーザ端末２ｒによって再生されたメッセージを保存する機能を備えることとしてもよい。
【００８５】
また、メッセージに対応付けるシンボル（例えばＱＲコード（登録商標）のシール等）自体は、独立した商取引の対象とすることができる。この場合、ユーザＵｓがユーザ端末２ｓを操作することにより、シンボル購入用のＷｅｂサイトにアクセスして、シンボルを購入できることとしてもよい。当然、店頭販売もできる旨も記載することとしてもよい。
【００８６】
以上まとめると、本発明が適用される情報処理装置は、次のような構成を取れば足り、各種各様な実施形態を取ることができる。
即ち、本発明が適用される情報処理装置は、
送付物（例えば紙媒体のメッセージカード）を送付予定の送付対象者（例えば図１のユーザＵｓ）の端末（例えば図３のユーザ端末２ｓ）により、当該送付物に付されるシンボル（例えばＱＲコード（登録商標））が撮影され、その結果得られる第１シンボル画像データ（例えばＱＲコード（登録商標）の第１画像データ）が送信されてきた場合、当該第１シンボル画像データを取得する第１取得手段（例えば図３の第１ＱＲコード（登録商標）取得部１０１）と、
前記送付対象者の前記端末から、前記送付物に対して所定データ（例えば音声メッセージ）を登録する依頼を受け付ける受付手段（例えば図３の登録受付部１０２）と、
前記受付手段により前記依頼が受け付けられた場合、前記第１シンボル画像データと、前記所定データとを対応付けて管理する登録管理手段（例えば図３の登録管理部１０３）と、
前記シンボルが付された前記送付物の受領者（例えば図１のユーザＵｒ）の端末（例えば図３のユーザ端末２ｒ）により、当該シンボルが撮影され、その結果得られる第２シンボル画像データ（例えばＱＲコード（登録商標）の第２画像データ）が送信されてきた場合、当該第２シンボル画像データを取得する第２取得手段（例えば、図３の認証部１０４）と、
前記第２シンボル画像データと、前記第１シンボル画像データとを比較し、その比較の結果に基づいて、前記受領者の正当性を認証する認証手段（例えば、図３の認証部１０４）と、
前記受領者の正当性が認証された場合、前記第２シンボル画像データと対応付けられた前記所定データについての、前記受領者の前記端末での実行を制御する実行制御部（例えば図３の再生制御部１０５）と、
を備える。
【００８７】
これにより、音声等のデータが対応付けられた画像を、時間的コストをかけることなく容易に作成することができる。
【００８８】
つまり、先に特定のＷｅｂサイトにリンクするＵＲＬを決定させ、その後に当該ＵＲＬと関連付けられた識別符号としての画像を作成するというプロセスが必要がないため、送付物に付す識別符号としての画像を作成するまでの時間的コストを削減させることができる。
【００８９】
また、シンボルは、汎用性を有するため、繰返し音声メッセージを登録することができる。
【００９０】
また、前記実行制御手段は、
前記所定データの実行回数に関する制御を実行する。
【００９１】
これにより、再生可能回数を無限とすることによって生じる管理サーバのデータ容量上の負担を軽減化させることができる。
【符号の説明】
【００９２】
１・・・  サーバ
２、２ｓ、２ｒ・・・  ユーザ端末
１１・・・  ＣＰＵ
１２・・・  ＲＯＭ
１３・・・  ＲＡＭ
１４・・・  バス
１５・・・  入出力インターフェース
１６・・・  出力部
１７・・・  入力部
１８・・・  記憶部
１９・・・  通信部
２０・・・  ドライブ
３１・・・  リムーバブルメディア
１０１・・・  第１ＱＲコード（登録商標）取得部
１０２・・・  登録受付部
１０３・・・  登録管理部１０３
１０４・・・  認証部１０４
１０５・・・  再生制御部１０５
１１１・・・  メッセージＤＢ
Ｎ・・・  ネットワーク
Ｕ、Ｕｓ、Ｕｒ・・・  ユーザ
【図１】
2017134548.tif 000003
【図２】
2017134548.tif 000004
【図３】
2017134548.tif 000005
【図４】
2017134548.tif 000006
【図５】
2017134548.tif 000007
【図６】
2017134548.tif 000008
【図７】
2017134548.tif 000009
【図８】
2017134548.tif 000010